(57)【特許請求の範囲】
【請求項１】
反応槽と、その反応槽の天井の中央に設置された駆動部と、その駆動部から前記反応槽内へ垂設された回転軸と、その回転軸の上下に離間して配置された２段の羽根とを備え、前記２段の羽根は、前記反応槽の底面近傍に設けられた下段羽根と、前記反応槽の液面近傍且つ液面よりも低い位置に設けられた上段羽根とを有してなり、担体添加活性汚泥法で、前記反応槽内に担体を浮遊させるために、前記２段の羽根を毎分３〜１０回転の低速で回転させることにより、前記反応槽内の下水汚泥に上下に旋回する流れを与える低速担体浮遊機であって、
前記下段羽根の回転外径は、前記反応槽の内径近傍まで延びる大径であり、前記上段羽根の回転外径は、前記上下に旋回する流れのうち、前記反応槽の側壁に沿って上昇する上昇流が、当該上段羽根の外側を通り前記液面まで到達するように、前記下段羽根の回転外径の１／２〜１／３の小径になっていることを特徴とする低速担体浮遊機。
【発明の詳細な説明】
【０００１】
【発明の属する技術分野】
本発明は、担体添加活性汚泥法で、反応槽内の担体の浮遊効果を増大し担体の沈殿を防止するため、反応槽内の下水汚泥に流れを与える低速担体浮遊機に関する。
【０００２】
【従来の技術】
下水処理場には、下水処理において脱窒素・脱燐処理の効率を向上させるために、担体添加活性汚泥法が導入されている。担体添加活性汚泥法では、菌の付着・生殖した担体を反応槽内の下水汚泥の中で浮遊させて、脱窒素・脱燐処理を行う。
【０００３】
この担体添加活性汚泥法で効率よく脱窒素・脱燐処理を行うには、担体と下水汚泥の接触面積、接触頻度を大きくすることが望ましい。そこで、担体と下水汚泥の接触面積、接触頻度を大きくするため、下水汚泥の中に多量の担体を混合している。
ところが、担体は、比重が水より大であるので、単に下水汚泥の中に多量に混合するだけでは沈殿し、圧密状態になって担体に付着した菌を死滅させてしまう。従って、担体を下水汚泥中で浮遊させるために、下水汚泥に流れを与える必要がある。そこで、反応槽には、下水汚泥に流れを与えて担体を下水汚泥中で浮遊させるための低速担体浮遊機が設けられている。
【０００４】
低速担体浮遊機は、羽根の回転により反応槽内の下水汚泥に流れを与えるものであって、同一平面上の複数枚の羽根を一段分として、単段の羽根を備えたものと２段の羽根を備えたものがある。２段の羽根を備えたものは、一般に水深の大きい反応槽で用いられる。
２段の羽根を備えた低速担体浮遊機は、図２に示すように、反応槽１の天井２の中央に設置された駆動部３から反応槽１内へ回転軸４を垂設し、この回転軸４には、反応槽１の底面７付近に下段羽根５、反応槽１の液面８付近に上段羽根６を設けている。
【０００５】
担体はスポンジのように柔らかい物質であり、強い流れを与えると担体に損傷を生ずるおそれがあるので、下段羽根５及び上段羽根６の回転速度は、３〜１０ｒｐｍ程度の低速回転とし、反応槽１内において下水汚泥に１０ｃｍ／ｓｅｃ程度の低速の流れを与える。
従来の低速担体浮遊機では、この下段羽根５と上段羽根６には、同径、同長のものが用いられており、反応槽１の底面７の外周部で上記のような低速の流れを与えるため、下段羽根５及び上段羽６の回転外径は、反応槽１の内径に近い大径となっている。
【０００６】
【発明が解決しようとする課題】
このような低速担体浮遊機で、下向流Ｄを発生させた場合、反応槽１の側壁９に沿って上昇流Ｕが発生する。しかし、この上昇流Ｕは、大径の上段羽根６の影響を受けて上段羽根６付近で下向流Ｄとなり、上段羽根６以上の高さには上昇しない。従って、反応槽１の液面８付近では担体の浮遊移動がなくなってしまうという問題がある。
【０００７】
本発明は、担体添加活性汚泥法におけるかかる問題を解決するものであって、担体を反応槽の液面まで浮遊移動させることができ、脱窒素・脱燐処理を促進し処理効率を向上させる低速担体浮遊機を提供することを目的とする。
【０００８】
【課題を解決するための手段】
本発明は、反応槽と、その反応槽の天井の中央に設置された駆動部と、その駆動部から前記反応槽内へ垂設された回転軸と、その回転軸の上下に離間して配置された２段の羽根とを備え、その２段の羽根が、前記反応槽の底面近傍に設けられた下段羽根と、前記反応槽の液面近傍且つ液面よりも低い位置に設けられた上段羽根とを有してなり、担体添加活性汚泥法で、前記反応槽内に担体を浮遊させるために、前記２段の羽根を毎分３〜１０回転の低速で回転させることにより、前記反応槽内の下水汚泥に上下に旋回する流れを与える低速担体浮遊機であって、前記下段羽根の回転外径は、前記反応槽の内径近傍まで延びる大径であり、前記上段羽根の回転外径は、前記上下に旋回する流れのうち、前記反応槽の側壁に沿って上昇する上昇流が、当該上段羽根の外側を通り前記液面まで到達するように、前記下段羽根の回転外径の１／２〜１／３の小径にすることにより上記課題を解決している。
【０００９】
この低速担体浮遊機は、下段羽根と上段羽根とを回転させ、反応槽内の下水汚泥に流れを与えて担体を下水汚泥中で浮遊させる。下向流を発生させた場合、反応槽の側壁に沿って上昇流が発生する。この上昇流は、上段羽根が小径であるので上段羽根の外側を通り液面まで到達する。従って、担体を反応槽の液面まで浮遊移動させることができ、脱窒素・脱燐処理を促進し処理効率を向上させる。
【００１０】
【発明の実施の形態】
図１は、本発明の実施の一形態である低速担体浮遊機の構成図である。
低速担体浮遊機は、反応槽１の天井２の中央に設置された駆動部３から反応槽１内へ回転軸４を垂設し、この回転軸４には、反応槽１の底面７付近に下段羽根５、反応槽１の液面８付近に上段羽根１０を設けている。
【００１１】
下段羽根５は、従来の低速担体浮遊機で用いられているものと同様に、回転外径が反応槽１の内径に近い大径となっている。
これに対し、上段羽根１０は、回転外径が下段羽根より小径で、下段羽根５の回転外径の１／２〜１／３となっているので、上段羽根１０の先端と反応槽１の側壁９との間隔が広くなっている。
【００１２】
下水処理を行う場合には、反応槽１内の下水汚泥の中に担体を混合し、駆動部３で回転軸４を駆動して下段羽根５及び上段羽根１０を３〜１０ｒｐｍ程度の低速で回転させ、反応槽１内の下水汚泥に１０ｃｍ／ｓｅｃ程度の流れを与えて担体を下水汚泥中で浮遊させる。
低速担体浮遊機で、下向流Ｄを発生させた場合、反応槽１の底面７の外周部から側壁９に沿って上昇流Ｕが発生する。この低速担体浮遊機は、上段羽根１０が小径で上段羽根１０の先端と反応槽１の側壁９との間隔が広くなっているので、この上昇流Ｕは、上段羽根１０の影響を受けなくなり、上段羽根１０の外側を通り液面８まで到達する。
【００１３】
上昇した下水汚泥は、上段羽根１０の回転により生ずる下向流Ｄによって反応槽１の液面８付近で中央部へ流れ、再び下向に転ずる。
従って、均一な濃度で担体を反応槽１の底面７から液面８まで効率良く浮遊移動させることができ、下水汚泥の脱窒素・脱燐処理を促進し処理効率を向上させる。
【００１４】
【発明の効果】
以上説明したように、本発明の低速担体浮遊機は、担体を反応槽の液面まで効率良く浮遊移動させることができ、脱窒素・脱燐処理を促進し処理効率を向上させる。
【図面の簡単な説明】
【図１】本発明の実施の一形態である低速担体浮遊機の構成図である。
【図２】従来の低速担体浮遊機の構成図である。
【符号の説明】
１      反応槽
２      天井
３      駆動部
４      回転軸
５      下段羽根
７      底面
８      液面
９      側壁
１０    上段羽根
【図１】
0004194702.tif 000002
【図２】
0004194702.tif 000003